(57)【要約】【課題】摺動性を確保し、かつ、見栄えを向上した延長管を提供する。【解決手段】合成樹脂製の外管11の先端に挿入して嵌合段部18で固定する合成樹脂製のシールパイプ77を第１抜止体83と第２抜止体84とに分割する。第１抜止体83と第２抜止体84との組み合わせ位置を可変させてシールパイプ77の軸方向長さを異なる複数の長さのいずれかに調整することで、外管11の端面Ｓとこの端面Ｓに対向するシールパイプ77の対向面94との隙間を抑制でき、隙間からの異物の侵入を防止して摺動性を確保できるとともに、見栄えを向上できる。【選択図】図１
2007159661.tif 000002
【特許請求の範囲】
【請求項１】
合成樹脂製の外管と、
この外管の一端に挿入されて軸方向の所定位置で固定され、前記外管の一端面に対向する対向面を備えた抜止部材と、
この抜止部材から前記外管に一端側が挿入されて前記外管に対して軸方向に摺動可能に設けられ、前記抜止部材により前記外管に対して抜け止めされる合成樹脂製の内管とを具備し、
前記抜止部材は、組み合わせ位置に応じて軸方向長さを互いに異なる複数の長さのいずれかに調整可能な複数の抜止体に分割されている
ことを特徴とした延長管。
【請求項２】
抜止部材は、
一端側に対向面を有し他端側が外管に挿入されて固定される抜止体としての第１抜止体と、
この第１抜止体の他端側に組み合わされる抜止体としての第２抜止体と、
前記第１抜止体の軸方向に複数の第１段差部を有し、前記第１抜止体の周方向に複数形成された第１嵌合部と、
前記第２抜止体の軸方向に複数設けられ前記第１段差部のいずれか一つに選択的に嵌合される複数の第２段差部を有し、前記第２抜止体に複数形成され前記第１嵌合部と嵌合可能な第２嵌合部とを備えている
ことを特徴とした請求項１記載の延長管。
【請求項３】
電動送風機を収容した掃除機本体と、
前記電動送風機の吸込側に連通接続される請求項１または２記載の延長管と
を具備したことを特徴とした電気掃除機。
【発明の詳細な説明】
【技術分野】
【０００１】
本発明は、内管を外管に対して抜け止めする抜止部材を有する延長管およびこれを備えた電気掃除機に関する。
【背景技術】
【０００２】
従来、電気掃除機などに用いられる延長管は、長尺状の外管の一端部内に筒状の抜止部材としてのシールパイプ、ストップリングおよびシールリングをそれぞれ嵌着し、抜止部材およびシール部材に長尺状の内管を軸方向に摺動可能に挿入し、伸縮可能な構成を有している。ここで、シールパイプには、鍔部が形成され、この鍔部は、シールパイプを外管に嵌着した状態で、このシールパイプの一端面に対向する対向面を有している（例えば、特許文献１参照。）。
【特許文献１】特開平１０−１０８８１２号公報（第４−５頁、図１−２）
【発明の開示】
【発明が解決しようとする課題】
【０００３】
延長管の軽量化、強度保持およびコストダウンを図るに当たっては、外管、内管およびシールパイプなどを、例えばポリプロピレンなどの合成樹脂で射出成形することが一般的となっている。
【０００４】
しかしながら、このように合成樹脂で成形した延長管では、射出成形後の時間経過に伴う収縮が非常に大きく、成形後の管理を厳密にしないと延長管の組み立て時に外管の一端面とシールパイプの対向面との間に隙間が生じ、この隙間に塵埃などの異物が侵入して摺動性が悪化したり、見栄えが悪化したりするおそれがあるという問題点を有している。
【０００５】
本発明は、このような点に鑑みなされたもので、摺動性を確保し、かつ、見栄えを向上した延長管およびこれを備えた電気掃除機を提供することを目的とする。
【課題を解決するための手段】
【０００６】
本発明は、合成樹脂製の外管と、この外管の一端に挿入されて軸方向の所定位置で固定され、外管の一端面に対向する対向面を備えた抜止部材と、この抜止部材から外管に一端側が挿入されて外管に対して軸方向に摺動可能に設けられ、抜止部材により外管に対して抜け止めされる合成樹脂製の内管とを具備し、抜止部材は、組み合わせ位置に応じて軸方向長さを互いに異なる複数の長さのいずれかに調整可能な複数の抜止体に分割されているものである。
【発明の効果】
【０００７】
本発明によれば、複数の抜止体の組み合わせ位置を可変させて抜止部材の軸方向長さを複数に調整することで、この抜止部材の対向面と、この抜止部材が挿入される外管の一端面との隙間を抑制でき、この隙間からの異物の侵入を防止して摺動性を確保できるとともに、見栄えを向上できる。
【発明を実施するための最良の形態】
【０００８】
以下、本発明の一実施の形態の構成を図１ないし図６を参照して説明する。
【０００９】
図６において、１は掃除機本体で、この掃除機本体１は、電動送風機２とこの電動送風機２の駆動を制御する図示しない制御手段とを収容し、電動送風機２の駆動にて生じる吸気風とともに吸い込んだ塵埃を、図示しない集塵パックにて集塵する。
【００１０】
また、この掃除機本体１には、外部から空気を吸引する本体吸込口３が開口されている。この本体吸込口３には、可撓性を有し湾曲可能な細長略円筒状のホース体４が連通接続されている。このホース体４の先端には、電動送風機２の動作モードなどが選択可能な手元操作部５が設けられている。この手元操作部５には、掃除機本体１内の電動送風機２などを制御手段を介して複数の駆動モードに設定する複数の設定ボタン６が設けられているとともに、掃除する際に作業者が把持する把持部７が基端側に向けて突設されている。
【００１１】
さらに、この手元操作部５の先端には、伸縮可能な細長略円筒状の延長管８が着脱可能に連通接続されている。またさらに、この延長管８の先端には、例えば室内の床面の絨毯などの上に載置させて、この絨毯上の塵埃を吸い込む電気掃除機の吸込口体としての床ブラシ９が着脱可能に連通接続されている。
【００１２】
そして、延長管８は、長尺筒状の外管11と、この外管11に一端側が摺動可能に挿入される内管12とを備えている。
【００１３】
外管11は、例えばポリプロピレンなどの合成樹脂で成形され、図１および図５に示すように、筒状の外管本体14を有し、この外管本体14の上面側に、外管カバー15が例えば超音波溶着などにより一体に取り付けられ、また、外管本体14の内管12側の端部に、外管11に対する内管12の抜け止め、ガイドおよびシールをする嵌着部16が嵌着されている。
【００１４】
外管本体14は、内管12側の内部に、嵌着部16が嵌着される嵌合段部18が形成されている。また、外管本体14内の上部には、軸方向に沿ってガイド溝19が形成されている。さらに、外管本体14の上面には、軸方向に沿ってそれぞれ形成された一対の嵌合リブ21が形成され、この両嵌合リブ21の間に複数の螺子穴22が形成されている。そして、外管本体14の内管12側すなわち先端側には、断面コ字状に形成された支持台23が設けられ、外管本体14の内管12と反対側すなわち基端側には、螺子24が螺合される螺子穴25が形成されたボス26と、一対の係合溝27とがそれぞれ形成され、さらに、外管本体14の基端部に嵌合溝28が形成されている。
【００１５】
また、外管本体14の上面側には、外管カバー15の内面との間に摺動室29が形成されている。この摺動室29には、導電性材料からなる薄板で形成された二本の導電体31が互いに離間されて軸方向に平行に螺子32によって固定されて配設されている。
【００１６】
嵌合段部18は、本体端面17から所定の長さに亘って外管本体14の内周部に径大に形成されている。
【００１７】
ガイド溝19は、内管12の外管11側すなわち基端側に設けられたストッパ34が摺動可能に嵌合し、このストッパ34によって内管12の外管11に対する周方向への回り止めをするとともに、嵌着部16の端縁に当接して内管12を外管本体14に対して抜け止めしている。
【００１８】
各嵌合リブ21は、外管カバー15が外側から取り付けられる部分であり、互いに平行に形成されている。
【００１９】
各螺子穴22は、螺子32が螺合される穴部であり、この螺子32の螺合により導電体31が外管本体14に取り付けられる。
【００２０】
支持台23は、内管12を外管11に対して位置決めするクランプ部35が取り付けられる部分であり、その両側壁に、外管カバー15の係止固定用の係止孔36（一側のみ図示）が穿設されている。
【００２１】
また、支持台23の内部には、摺動室29に連通する貫通孔41が軸方向に沿って形成されている。さらに、支持台23の上壁には、貫通孔42が形成されている。そして、支持台23の基端側には、ばね受突起44が形成されている。また、支持台23の貫通孔42とばね受突起44との間の両側には、それぞれ軸受部45が形成されている。
【００２２】
ここで、クランプ部35は、摺動室29の内管12側に配設されるもので、内管12に対して係脱されるロック体47と、このロック体47を離脱させる方向に移動させるアーム48および係合させるように押圧する押圧突起49を有する調節ボタン51、ロック体47を係合させる方向に付勢するように調節ボタン51を付勢する付勢ばね52とから構成されているものである。
【００２３】
ロック体47は、略円柱状に形成されるとともに、環状の鍔部54が外周に形成されており、その下方部先端部は内管12への係合部となっているものである。また、このロック体47は、下端側が、アーム48間を介して貫通孔42内に挿入されて摺動室29内に突出し、内管12に対して係脱可能となっている。そして、このロック体47は、内管12に対して係合した状態で内管12を所定位置で固定するとともに、内管12に対する係合が外れた状態で内管12を外管11に対して軸方向に摺動可能にするものである。
【００２４】
調節ボタン51は、作業者に操作されるつまみ部56と、このつまみ部56に一体に取り付けられるとともに互いに離間された一対のアーム48が形成されたアーム板57とを有している。また、つまみ部56は、両側壁に、軸受部45と外管カバー15に軸受部45と対向して形成された図示しない軸受部とにより回動可能に挟持される回動軸58が突設されており、支持台23上にて摺動室29内に配設されている。
【００２５】
アーム板57は、つまみ部56の両側壁に一体に設けられている。
【００２６】
両アーム48の先端部には、断面曲面状の当接突起61が形成されている。この当接突起61は、ロック体47の鍔部54の下面に当接しており、調節ボタン51の回動に伴いロック体47を上方に移動させてその先端部である係合部を内管12に対して離脱させるように機能するものである。
【００２７】
つまみ部56のロック体47の上部に対向する位置には、押圧突起49が形成されており、この押圧突起49の下側には、付勢ばね52の上端部を保持するばね受突起63が形成されている。
【００２８】
また、係合溝27，27には、導電体31，31に電気的に接続される接続ピン65，65が取り付けられている。これら接続ピン65，65は、手元操作部５およびホース体４を介して掃除機本体１内の制御手段と電気的に接続される。
【００２９】
嵌合溝28には、外管11を手元操作部５（図６）に対して気密に接続するための環状のシールリング66が嵌合して取り付けられている。
【００３０】
導電体31の両端部近傍には、螺子32が挿通される貫通孔68が穿設されている。
【００３１】
外管カバー15は、断面略コ字状に形成され、その両側に、互いに対向するとともに外管本体14の嵌合リブ21に外側から嵌合する側壁71がそれぞれ形成されている。また、この外管カバー15には、クランプ部35の調節ボタン51を露出させるための四角形状の開口72が形成されている。さらに、この外管カバー15の基端側には、螺子孔73が形成されている。そして、外管カバー15の基端側には、外管本体14の一対の係合溝27と対応する図示しない係合溝が形成されており、外管カバー15を外管本体14に一体に取り付けた状態で、この図示しない係合溝と係合溝27により接続ピン65が挟持固定される。また、外管カバー15の先端部には、この外管カバー15を外管本体14に取り付けた状態で外管本体14の本体端面17と面一となって端面Ｓを形成するカバー端面74が形成されている。
【００３２】
両側壁71には、外管本体14の係止孔36にそれぞれ挿通され外管カバー15の先端部を外管本体14に係止するための係止突部75がそれぞれ形成されている。
【００３３】
螺子孔73は、螺子24を挿通可能であり、この螺子24を挿通して外管本体14のボス26の螺子穴25に螺合するとともに、係止突部75を係止孔36に挿通することで、外管カバー15が外管本体14に一体に取り付けられるものである。
【００３４】
そして、嵌着部16は、係止部材としての第１ガイド管であるストップリング76と、抜止部材としての第２ガイド管であるシールパイプ77と、これらストップリング76とシールパイプ77とにより挟持された断面Ｔ字状のシールリング78とを備えている。
【００３５】
ストップリング76は、略円筒状に形成され、その基端側に、外管本体14の嵌合段部18に設けられた図示しない係合凸部に係合されることでストップリング76を周方向に回り止めする係合凹部81が切り欠き形成されている。
【００３６】
シールパイプ77は、内管12が外管11の外管本体14内を軸方向に移動する際に、この内管12をガイドするものであり、例えばポリプロピレンなどの合成樹脂により形成され、外管11の外管本体14の先端側に挿入されて嵌合段部18にて所定位置に固定される。そして、このシールパイプ77は、図２および図３に示すように、抜止体としての略筒状の第１抜止体83と、抜止体としての略筒状の第２抜止体84とを軸方向に接続することで形成されている。
【００３７】
第１抜止体83は、略筒状に形成され、第２抜止体84側である基端部に、第１段差部86，87，88が周方向に設けられた複数の第１嵌合部89が形成されている。また、この第１抜止体83は、先端部の外周にフランジ状に設けられた鍔部91が形成されている。さらに、この第１抜止体83の軸方向の略中間部の上側寄りの両側には、外管カバー15の係止突部75（図５）が挿通される係止孔部92（一方のみ図示）がそれぞれ穿設されている。
【００３８】
第１段差部86，87，88は、第１抜止体83の基端部を軸方向に段差状に切り欠いて形成したものである。また、第１段差部86，87，88は、第１段差部86の突出量が最も小さく、第１段差部88の突出量が最も大きくなるように、かつ、第１段差部86と第１段差部87との突出量の差が、第１段差部87と第１段差部88との突出量の差と略等しく形成されている。
【００３９】
第１嵌合部89は、本実施の形態では、第１抜止体83の基端部にて、周方向に２組設けられている。換言すれば、第１抜止体83には、周方向に第１段差部86，87，88，86，87，88が順次隣接して形成されている。すなわち、各第１段差部86，87，88は、第１抜止体83の周方向に互いに約６０°の角度で形成されている。
【００４０】
鍔部91は、外管11の端面Ｓに対向する平面状の対向面94を備えている。さらに、この鍔部91には、支持台23に形成した貫通孔41を介して摺動室29に連通する横長の貫通孔95が穿設されている。
【００４１】
係止孔部92は、角孔状に設けられ、外管本体14の係止孔36に挿通された外管カバー15の係止突部75（図５）が挿入されることでシールパイプ77が嵌合段部18（図１）に固定されて外管11に対して抜け止めされ、このシールパイプ77が抜け止めされることでシールリング78およびストップリング76が外管11に対して抜け止めされるものである。
【００４２】
第２抜止体84の第１抜止体83側である先端部には、第１段差部86，87，88のそれぞれに対応しこれら第１段差部86，87，88のいずれかに選択的に嵌合される第２段差部96，97，98を備えた複数の第２嵌合部99が形成されている。また、第２抜止体84の基端部には、シールリング78（図１）が嵌着される嵌着突部100が突設されている。
【００４３】
第２段差部96，97，98は、第２抜止体84の基端部を軸方向に段差状に切り欠いて形成したものである。また、第２段差部96，97，98は、第２段差部96の突出量が最も大きく、第２段差部98の突出量が最も小さくなるように、かつ、第２段差部96と第２段差部97との突出量の差が、第２段差部97と第２段差部98との突出量の差と略等しく形成されている。さらに、第２段差部96，97，98の内周側には、第１段差部86，87，88のいずれかの内周に嵌合可能な突出部96a，97a，98aがそれぞれ軸方向に突設されている。
【００４４】
第２嵌合部99は、本実施の形態では、第２抜止体84の先端部にて、周方向に２組設けられている。換言すれば、第２抜止体84には、周方向に第２段差部96，97，98，96，97，98が隣接して形成されている。すなわち、各第２段差部96，97，98は、第２抜止体84の周方向に互いに約６０°の角度で形成されている。
【００４５】
したがって、シールパイプ77は、第１抜止体83と第２抜止体84との組み合わせ位置である組み合わせ角度に応じて、図４(a)、図４(b)および図４(c)に示すように、その軸方向長さが互いに異なる複数、本実施の形態では３つの長さL1，L2，L3のいずれかに調整可能となっている。
【００４６】
そして、図４(a)においては、第１段差部86，87，88に対して第２段差部96，97，98が隙間なく嵌合し、図４(b)においては、第１段差部87，88に対して第２段差部96，97が隙間なく嵌合して第１段差部86と第２段差部98との間に隙間H1が形成され、図４(c)においては、第１段差部88に対して第２段差部96が隙間なく嵌合して第１段差部86，87と第２段差部97，98との間に連続する隙間H2が形成されている。
【００４７】
なお、シールパイプ77は、理想的には、最長状態すなわち図４(c)に示す長さL3の状態が、通常のシールパイプの長さとなるように形成される。
【００４８】
図１および図２に戻って、シールリング78は、外管11の外管本体14の内周面と内管12の外周面との隙間からの空気漏れを防止して、外管11と内管12とを気密に接続するものである。
【００４９】
一方、内管12は、外管11と同様に、例えばポリプロピレンなどの合成樹脂で成形され、外管11の外管本体14内に軸方向に移動可能に挿入される長尺筒状の内管本体101と、この内管本体101に取り付けられた長尺状の内管カバー102とを有している。
【００５０】
内管本体101は、床ブラシ９が接続される側すなわち先端側に、床ブラシ９を着脱可能にする接続クランプ部103が取り付けられる径大の配置部104が形成されている。また、内管本体101の基端側の外周には、外管11のガイド溝19に沿って摺動するストッパ34を収容する凹部106が設けられている。
【００５１】
接続クランプ部103は、作業者に操作される操作つまみ107を備え、この操作つまみ107の両側には、配置部104と内管カバー102とにより回動可能に挟持される回動軸108（一方のみ図示）が突設され、また、この操作つまみ107の基端部には、床ブラシ９側と係合される係合爪109が下方に向けて突設されている。さらに、操作つまみ107は、付勢ばね111により上方へと付勢されている。
【００５２】
配置部104は、先端部の両側にリブ113，113がそれぞれ設けられ、これらリブ113，113の上部には、操作つまみ107の各回動軸108の下側を支持する軸受115がそれぞれ形成されている。また、リブ113，113の内側には位置決めリブ116，116が形成されており、これら位置決めリブ116，116の基端側には、Ｕ字状リブ117が形成され、このＵ字状リブ117の内側には、操作つまみ107を操作した際に係合爪109が挿入されて内管本体101内へと突出可能な貫通孔118が穿設されている。
【００５３】
さらに、リブ113と位置決めリブ116との間には接続片119が挟持されて配置されるようになっており、この接続片119はコネクタを構成するものである。
【００５４】
そして、配置部104の先端部には、前面壁121が形成されており、この前面壁121には、床ブラシ９側の図示しない一対の接続ピンが挿入される貫通孔122，122がそれぞれ穿設されている。ここで、貫通孔122，122から挿入された接続ピンは、配置部104の内部で接続片119に電気的に接続されるようになっている。
【００５５】
また、内管カバー102は、配置部104を覆うカバー部124と、このカバー部124から軸方向に突設された係止カバー部125と、この係止カバー部125とともにリード線126，126を覆う下カバー部127とを有している。
【００５６】
カバー部124には、操作つまみ107を露出させる開口131が形成されている。また、このカバー部124の下部には、図示しない軸受が設けられている。この軸受は、内管カバー102を配置部104に取り付けた状態で操作つまみ107の回動軸108の上側を支持するものである。
【００５７】
係止カバー部125には、係合孔132が長手方向に所定間隔毎に形成されている。また、係止カバー部125の基端側には、絶縁材からなる取付台134が螺子135によって取り付けられており、この取付台134には外管11側の一対の導電体31に圧接しつつ摺接する一対の摺動片136，136がそれぞれ取り付けられている。これら摺動片136，136には、リード線126，126の先端がそれぞれ電気的に接続されている。
【００５８】
さらに、係止カバー部125は、内管12の内管本体101を外管11の外管本体14に挿入した状態で、シールパイプ77の鍔部91の貫通孔95および支持台23の貫通孔41に挿入されて摺動室29内に位置し、かつ、摺動片136，136が導電体31，31にそれぞれ圧接され、内管本体101を外管本体14に対して軸方向に移動すると、摺動片136，136が導電体31，31上を圧接状態で移動するように構成されている。
【００５９】
リード線126，126の他端側は、それぞれ接続片119，119に電気的に接続されている。
【００６０】
下カバー部127は、長尺の四角形板状に形成され、係止カバー部125と超音波溶着されて一体化されることで、この係止カバー部125との間にリード線126，126を保持可能となっている。
【００６１】
また、内管本体101に内管カバー102が取り付けられた内管12の先端部は、スタンドストッパ138に挿通され、このスタンドストッパ138が螺子139によって取り付けられている。このスタンドストッパ138には、図１、図５および図６に示すように、掃除機本体１の前側下部に設けられた図示しない係止凹部に係脱する係合突起140が形成されている。この係合突起140は、掃除機本体１の収納時に、掃除機本体１を立てた状態として係止凹部に係合させることにより、ホース体４、延長管８および床ブラシ９を掃除機本体１に接続したまま収納可能とするものである。
【００６２】
図６に戻って、床ブラシ９は、横長の床ブラシ本体141を備え、この床ブラシ本体141の後部に接続管142が突設され、また、床ブラシ本体141の内部に、図示しない電動機およびこの電動機によって駆動される図示しない回転ブラシが設けられている。
【００６３】
接続管142には、電動機に電気的に接続された図示しない一対の接続ピンが突設されており、この接続ピンは、床ブラシ９を延長管８に接続した状態で、内管12の前面壁121に形成した貫通孔122に挿入され接続片119に電気的に接続されることで、掃除機本体１内の制御回路などに電気的に接続されるように構成されている。
【００６４】
そして、接続管142の内管12側の上部には、図１に示すように、操作つまみ107の係合爪109が係脱される図示しない床ブラシ係合凹部143が形成されている。
【００６５】
次に、上記一実施の形態の延長管の組み立て手順を説明する。
【００６６】
まず、外管本体14の先端部から嵌合段部18へと、嵌着部16のストップリング76、シールリング78およびシールパイプ77を順次取り付ける。
【００６７】
このとき、シールパイプ77は、図４(c)に示すように、第１抜止体83の第１段差部88のそれぞれと第２抜止体の第２段差部96のそれぞれとを嵌着することで、全長が最長の長さL3とした状態で嵌合段部18に取り付ける。
【００６８】
また、外管本体14、および、シールパイプ77を構成する第１抜止体83および第２抜止体84のそれぞれにおいて、成形後の収縮により長さが縮むことで、シールリング78から外管本体14の端面Ｓまでの距離とシールパイプ77の軸方向の全長とに差が生じる場合には、図４(b)に示すように、シールパイプ77の第１抜止体83と第２抜止体84との組み合わせ角度を周方向に６０°ずらして、第１抜止体83の第１段差部87，88のそれぞれを第２抜止体84の第２段差部96，97のそれぞれに嵌着させて長さL2として、シールパイプ77を外管本体14の嵌合段部18に取り付けたり、あるいは、図４(a)に示すように、シールパイプ77の第１抜止体83と第２抜止体84との組み合わせ角度を周方向にさらに６０°ずらして、第１抜止体83の第１段差部86，87，88のそれぞれを第２抜止体84の第２段差部96，97，98のそれぞれに嵌着させて長さL1として、シールパイプ77を外管本体14の嵌合段部18に取り付けたりして、外管本体14の本体端面17とシールパイプ77の対向面94との隙間を抑制する。
【００６９】
この後、導電体31，31およびクランプ部35などを所定位置に取り付けて外管カバー15を外管本体14に対して上側から取り付ける。
【００７０】
このとき、外管カバー15の各係止突部75を、外管本体14の係止孔36に挿通するとともに、螺子24を外管カバー15の螺子孔73に挿通して螺子穴25に螺子止めすることで、各係止突部75がシールパイプ77の係止孔部92に挿通されて、嵌着部16が外管11に対して抜け止めされ、かつ、外管カバー15のカバー端面74が外管本体14の本体端面17と略面一となって端面Ｓとしてシールパイプ77の対向面94と対向する。
【００７１】
さらに、ストッパ34を凹部106に取り付けた内管本体101に、接続クランプ部103およびリード線126，126などを所定位置に取り付けた状態で内管カバー102を上側から取り付けて内管12を形成し、この内管12の基端部を、シールパイプ77を介して外管11内に挿入する。
【００７２】
そして、スタンドストッパ138を内管12の先端部の外周部に螺子139にて固定し、延長管８を完成する。
【００７３】
次に、上記一実施の形態の延長管の伸縮動作を説明する。
【００７４】
通常の状態では、クランプ部35の調節ボタン51の後側が付勢ばね52により上方向に付勢されていることで、アーム48を介してロック体47の下端部が下方へと突出し、貫通孔42から摺動室29内の内管カバー102の係合孔132に係合することで、外管11と内管12との軸方向の位置が固定されている。
【００７５】
作業者が調節ボタン51のつまみ部56を押して操作すると、付勢ばね52の付勢力に抗して調節ボタン51の前側が回動軸58を中心として上方向へと回動し、アーム48の当接突起61が鍔部54に下側から当接してロック体47が上方へと退避することで、このロック体47の下端部と、内管カバー102の係合孔132との係合が外れ、内管12が外管11に対して相対的に軸方向に移動する。
【００７６】
そして、調節ボタン51のつまみ部56の操作を解除すると、付勢ばね52の付勢力により調節ボタン51の前側が再度下方へと回動し、アーム48を介してロック体47が下方へと突出して、貫通孔42から摺動室29内の内管カバー102の所定の係合孔132に係合することで、外管11と内管12との軸方向の位置が固定される。
【００７７】
次に、上記一実施の形態の電気掃除機による掃除動作を説明する。
【００７８】
掃除機本体１に図示しない集塵パックを取り付けた状態で、本体吸込口３にホース体４、適宜伸張させた延長管８および床ブラシ９を順次連通接続する。
【００７９】
次いで、掃除機本体１から電源コードを引き出して図示しないコンセントに接続し、把持部７を把持して所定の設定ボタン６を操作して電動送風機２を所定の動作モードで駆動させる。
【００８０】
そして、作業者は、床ブラシ９を床面上で前後に走行させて床面の塵埃を床ブラシ９の先端部から空気とともに吸い込む。
【００８１】
この吸い込まれた空気は、吸込風となり、床ブラシ９、延長管８、ホース体４および本体吸込口３を経由して集塵パックに流入し、この集塵パックを通過する際に塵埃が捕集されて電動送風機２へと吸い込まれ、この電動送風機２を通過して排気風となり、図示しない排気口から掃除機本体１の外部へと排気される。
【００８２】
掃除が終了すると、電動送風機２を停止させてコンセントから電源コードを抜き取り、この電源コードを掃除機本体１に収容するとともに、掃除機本体１の後部を下側として掃除機本体１を立たせた状態とし、スタンドストッパ138を掃除機本体１の係止凹部に係合させて収納する。
【００８３】
上述したように、上記一実施の形態によれば、第１抜止体83と第２抜止体84との組み合わせ位置を可変させてシールパイプ77の軸方向長さを複数に調整することで、このシールパイプ77の対向面94と、外管11の端面Ｓとの隙間を抑制でき、この隙間からの塵埃などの異物の侵入を防止して延長管８の摺動性を確保できるとともに、見栄えを向上できる。
【００８４】
具体的に、第１抜止体83の軸方向に第１段差部86，87，88を有する第１嵌合部89を周方向に複数形成し、第１段差部86，87，88のいずれか一つに選択的に嵌合される第２段差部96，97，98を第２抜止体84の軸方向に有する第２嵌合部99を周方向に複数形成することで、第１抜止体83と第２抜止体84との組み合わせ角度を可変させることによりシールパイプ77の軸方向長さを調整し、外管11とシールパイプ77との寸法差を吸収できるので、シールパイプ77の対向面94と外管11の端面Ｓとの隙間を抑制できる。
【００８５】
すなわち、軽量化、強度保持およびコストダウンを図るために外管11およびシールパイプ77などを合成樹脂で成形しても、合成樹脂の収縮に伴うばらつきを、シールパイプ77の長さを可変させることで吸収できるので、外管11およびシールパイプ77などの成形精度を必要以上に管理することなく、製造性を向上できるとともに、これら外管11およびシールパイプ77の材料に比較的安価な合成樹脂を使用することも可能になるので、製造コストを抑制できる。
【００８６】
しかも、シールパイプ77は、第１抜止体83と第２抜止体84との組み合わせ角度により隙間H1，H2が形成されても、シールリング78によりシール性を確保しているので、延長管８での空気漏れなどの問題が生じることもない。
【００８７】
そして、このような延長管８を電気掃除機に用いることで、安価で、かつ、性能を向上した電気掃除機を提供できる。
【００８８】
なお、上記一実施の形態において、シールパイプ77を除く延長管８の細部は、上記構成に限定されるものではない。
【００８９】
また、シールパイプ77に形成する第１段差部および第２段差部の形状および個数、あるいは第１嵌合部89および第２嵌合部99の個数などは、任意に設定できる。
【００９０】
さらに、電気掃除機の細部は、上記構成に限定されるものではなく、例えば電気掃除機としては、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【図面の簡単な説明】
【００９１】
【図１】本発明の一実施の形態の延長管を示す縦断面図である。
【図２】同上延長管の抜止部材を示す説明側面図である。
【図３】同上抜止部材を示す正面図である。
【図４】(a)は同上抜止部材の最短状態を示す説明側面図、(b)は同上抜止部材の中間状態を示す説明側面図、(c)は同上抜止部材の最長状態を示す説明側面図である。
【図５】同上延長管を示す分解斜視図である。
【図６】同上延長管を備えた電気掃除機を示す斜視図である。
【符号の説明】
【００９２】
１    掃除機本体
２    電動送風機
８    延長管
11    外管
12    内管
77    抜止部材としてのシールパイプ
83    抜止体としての第１抜止体
84    抜止体としての第２抜止体
86，87，88    第１段差部
89    第１嵌合部
94    対向面
96，97，98    第２段差部
99    第２嵌合部
Ｓ    端面
【図１】
2007159661.tif 000003
【図２】
2007159661.tif 000004
【図３】
2007159661.tif 000005
【図４】
2007159661.tif 000006
【図５】
2007159661.tif 000007
【図６】
2007159661.tif 000008